【手続補正書】
【提出日】平成22年3月4日(2010.3.4)
【手続補正１】
【補正対象書類名】特許請求の範囲
【補正対象項目名】全文
【補正方法】変更
【補正の内容】
【特許請求の範囲】
【請求項１】
カードの厚さ内にすべて組み込まれた、少なくともユーザの生体情報のデータメモリとユーザの生体情報のレセプター（２）を備えた回路及びＣＰＵプロセッサーを含有する電気接触部を備えたカード形の、電子カード、又はインテリジェントカード、又はスマートカード、又はマイクロチップカード、又はマイクロプロセッサーカードとしての個人用セキュアカードの動作方法であって、
前記カードに記憶された生体情報は、正規の動作を可能にするために使用時に入手した生体情報と比較するために用いられ、前記カードは２つのプロセッサーが与えられる個人用セキュアカードの動作方法において、
ｉ）前記２つのプロセッサーは、
前記電気接触部（１）の下方の一側にある前記カードの管理のための第１のマイクロプロセッサーと、
前記電気接触部（１）の正反対の側（２３）にある、前記生体情報の解析のための第２のマイクロプロセッサーと、
から構成され、前記２つのマイクロプロセッサーは、何れも可撓性材料より成るバス（３）によって接続され、
ｉｉ）前記生体情報のレセプター（２）は、指紋走査型検出器のセンサーであり、同じ前記カードの同じ側に含まれたスキャナーの方形窓上の指によって、横方向に走査動作が実行されることによって指紋を採取することができ、その反対の位置で前記ＣＰＵプロセッサー（１）の側部に前記電気接触部が取り付けられ、
ｉｉｉ）以下の各ステップ、
ａ）最初の使用時における１回限りの個人カードの有効化の際、
認定ユーザの前記生体情報の本人絶対識別用の情報作成を、前記生体情報が、前記カードの外部からその情報を読み取り、又は検知し、又は感知することを絶対に不可能にするように前記カードの内部へのみ保存された前記生体情報のメモリに記憶されるように実行し、
および、ユーザの個人情報とそのアクセスコードの作成、及びその保存もまた実行するステップと、
ｂ）それに続く再使用に際し、
使用の際に、前記電気接触部（１）の側部に前記カードの挿入後、横方向指紋スキャナーとして機能する前記生体情報のレセプター（２）により、前記カードの内部に前記生体情報を入手できるように、ユーザのそれぞれの指の横断動作を実行すると、
前記生体情報は、その時の再読み取り情報が、以前記憶した生体情報と正確に一致するかどうかを照合確認するために、実際のユーザのその時の生体識別情報の再読み取り情報と、前記カードの内部でのみ比較され、前記以前記憶した生体情報と比較して、スマートカードの内部でのみ、前記照合確認が実行され、次に、
前記個人情報及びアクセスコードの照合と本人識別が、正規の動作の操作を継続するために認可されるステップと、
が、動作に必要であることを特徴とする個人用セキュアカードの動作方法。
【請求項２】
カードの厚さ内にすべて組み込まれた、少なくともユーザの生体情報のデータメモリとユーザの生体情報のレセプター（２）を備えた回路及びＣＰＵプロセッサーを含有する電気接触部を備えたカード形の、２つのプロセッサーが与えられた個人用カードであって、
前記カードに記憶された生体情報は、使用時に入手した生体情報と比較するために用いられる個人用カードにおいて、
前記カード内にある可撓性を有するバス（３）によって、前記ＣＰＵプロセッサー（１）と接続された、ユーザの前記生体情報のレセプター（２）を実現する前記プロセッサーのうちの一方を備えた、少なくとも１つの横方向に走査する指紋読み取り装置を備え、
前記指紋読み取り装置は、アクセスを可能にする前に、その真正性を確認するために、又は、それぞれの外部サーバーとの接続（１）によって、サービス要求をユーザ本人のものであると確認するために、前記ＣＰＵプロセッサーとは反対側にあるメモリプロセッサー（２３）に組み込まれた、ユーザの指紋を読み取るための生体識別センサーを備え、
ユーザの前記生体情報のレセプターは、センサー手段（２２）と連関したデジタル式指紋精巧化手段（２１）と、メモリプロセッサー（２３）とを備えるデジタル式指紋スキャナー（２）であり、
前記個人用カードは、認定ユーザのそれぞれの個人生体情報が記憶される外部から読み取り不可能なメモリをさらに備える、
ことを特徴とする請求項１に記載の動作方法と動作に必要なステップ過程を作動させるための個人用カード。
【請求項３】
前記電気接触部（１）は、データバス、ＶＣＣ、ＣＬＫを通じて、前記ＣＰＵプロセッサーと接続することを特徴とする請求項２に記載の個人用カード。
【請求項４】
前記内部バスは、ＲＡＭ、ＲＯＭ、ＥＰＲＯＭのメモリ接続を備えることを特徴とする請求項２に記載の個人用カード。
【請求項５】
前記カードは、層状化されずに、熱溶融成形によって完全に埋め込まれた前記装置を備えることを特徴とする請求項２乃至４のいずれか１項に記載の個人用カード。
【請求項６】
前記ＣＰＵマイクロプロセッサーは、エポキシ樹脂の溶融膜で予め覆われ、前記電気接触部（１）より下方にあることを特徴とする請求項２乃至５のいずれか１項に記載の個人用カード。
【請求項７】
前記メモリは、エポキシ樹脂の溶融膜で予め覆われることを特徴とする請求項２乃至６のいずれか１項に記載の個人用カード。
【請求項８】
前記個人用カードは、磁気メモリのストリップを有することを特徴とする請求項２乃至７のいずれか１項に記載の個人用カード。
【請求項９】
前記個人用カードは、少なくとも１つのＲＦＩＤのトランスポンダを備えることを特徴とする請求項２乃至８のいずれか１項に記載の個人用カード。
【請求項１０】
前記接触部（１）は、入力供給部、クロックシリアル通信装置、又は半二重シリアル通信装置を有することを特徴とする請求項２乃至９のいずれか１項に記載の個人用カード。
【請求項１１】
前記生体情報のレセプター（２）は、それぞれのＤＮＡ識別情報を分析及び分類するための手段をさらに備えることを特徴とする請求項１乃至１０のいずれか１項に記載の個人用セキュアカードの作成方法。
【請求項１２】
前記生体情報のレセプター（２）は、さらに動作を可能にする前に両方の本人識別確認のため、前記ＤＮＡ識別情報と、それぞれの指紋情報とを一緒に、比較することが可能なマイクロプロセッサー手段を備えることを特徴とする請求項１乃至１１記載の個人用セキュアカードの作成方法。
【請求項１３】
自律的動作のため内部電池を与えられることを特徴とする請求項１、１１、１２のいずれか１項に記載の動作方法と動作に必要なステップ過程を作動させるための個人用カード。
【手続補正２】
【補正対象書類名】明細書
【補正対象項目名】００１０
【補正方法】変更
【補正の内容】
【００１０】
米国特許公開公報第２００６／０１３１３９３号は、多重機能処理カードを開示する。
背景技術の問題点と欠点：
ユーザのさらなる生体的特徴の追加にもかかわらず、スマートカードは、無許可のユーザの使用のために偽造され得る。
【特許文献１】米国特許公開公報第２００３／０１９９４２号
【特許文献２】米国特許公開公報第２００４／２０３３５２号
【特許文献３】英国特許公開公報第２４０７１８９号
【特許文献４】欧州特許公開公報第１３２６１９６号
【特許文献５】米国特許公開公報第２００６／０１３１３９３号
【特許文献６】米国特許公開公報第２００４／１２９７８７号
【特許文献７】米国特許公開公報第２００５／１７８８２７号
【特許文献８】米国特許公開公報第２００５／２１２６５７号
【特許文献９】国際公開番号第２００５０９６２１４号
【手続補正３】
【補正対象書類名】明細書
【補正対象項目名】００２４
【補正方法】変更
【補正の内容】
【００２４】
ａ）開始時における、１回限りの個人カードの有効化の際、
ｉ．認定ユーザの生体情報の本人絶対識別用の情報作成を、前記生体情報が、前記カードの内部へのみ読み取り可能なメモリに記憶され、従って、前記カードの外部から読み取り、又は検知し、又は感知することを絶対に不可能にさせる。